(57)【要約】【課題】早送り再生においても、無駄なデータを読み出すことなく、シーク回数の増加を最小限に抑えることが可能な記録再生装置を提供することを目的とする。【解決手段】ＨＤＤ７を有し、ストリームをそのＨＤＤ７に記録して再生する記録再生装置において、ストリームを第１のブロック単位でＨＤＤ７に記録し、第２のブロック単位でＨＤＤ７から読み出す。早送り再生時には、第２のブロック単位を１ピクチャ単位とする。【選択図】図１
2007089213.tif 000002
【特許請求の範囲】
【請求項１】
ランダムアクセス可能な記録媒体を有し、ストリームを記録媒体に記録して再生する記録再生装置において、
前記記録媒体に対して第１のブロック単位で前記ストリームを書き込むとともに、第２のブロック単位で前記ストリームを読み出すべく制御する制御手段を備え、
該制御手段は、通常再生モードが設定された場合には、前記第２のブロック単位の大きさを前記第１のブロック単位の大きさと同一に制御すると共に、
早送り再生モードが設定された場合には、前記第２のブロック単位の大きさを１ピクチャ単位とし、前記記録媒体から１ピクチャ単位でストリームを読み出すべく制御することを特徴とする記録再生装置。
【請求項２】
前記ストリームに含まれるピクチャのデータ量を検出するデータ量検出手段を更に備え、
前記制御手段は、早送り再生モードが設定された場合には、前記データ検出手段で検出されたピクチャのデータ量に基づいて、前記記録媒体から１ピクチャ単位でストリームを読み出すべく制御することを特徴とする請求項１記載の記録再生装置。
【請求項３】
ランダムアクセス可能な記録媒体を有し、ストリームを記録媒体に記録して再生する記録再生装置において、
前記ストリームに含まれるピクチャのデータ量を検出するデータ量検出手段と、
前記記録媒体に対して第１のブロック単位で前記ストリームを書き込むとともに、前記データ量検出手段にて検出されたピクチャ毎のデータ量に基づいて、前記記録媒体から１ピクチャ単位でストリームを読み出すべく制御する制御手段とを備え、
前記第１のブロックに含まれるデータ量は、ピクチャ毎のデータ量の平均値より大きくなることを特徴とする記録再生装置。
【発明の詳細な説明】
【技術分野】
【０００１】
本発明は、ハードディスクなどのランダムアクセス可能な記録媒体を用いて、ストリームを記録し再生する記録再生装置に関する。
【背景技術】
【０００２】
テレビ放送がデジタル化されると、ハードディスクなどのランダムアクセス可能な記録媒体を用いて、放送番組をデジタル信号のまま記録することができるようになる。このようなランダムアクセス可能な記録媒体を用いた記録再生装置が登場すると、放送中の番組などの映像情報ストリームを記録すると同時に、以前に記録されたストリームを再生する機能を実現することができる。
【０００３】
一般に、この種の記録再生装置においては、記録媒体に対して１度のシークで書き込みが行われるデータの処理単位（以下、書込ブロックと称する）と、１度のシークで読み出されるデータの処理単位（以下、読出ブロックと称する）とが等しくなるように制御されている。
【０００４】
そこで、このような記録再生装置において、放送番組などの映像情報ストリームを録画しながら以前に記録されたストリームを早送り再生させると、１ブロックが複数枚のピクチャを含むような大きさに設定されているような場合には、読出ブロックの一部だけが早送り再生に使用され、読み出されても再生に使用されないデータがあるため、再生効率が悪くなるという問題がある。特に、早送り再生における再生速度が高速になると、この再生効率の低下が顕著となり、記録に必要なデータの書込処理、または再生に必要なデータの読出処理のいずれかが十分に行えない場合が生じる虞がある。
【０００５】
これに対して、１ブロックの大きさを小さくして、できるだけ無駄なデータを読み出さないように制御することが考えられている。
【特許文献１】特開平８−１３８３１８号公報
【特許文献２】特開平６−６２３６９号公報
【特許文献３】特開平１１−２５９９５８号公報
【特許文献４】特開平１１−６９２７９号公報
【特許文献５】特開平７−３２２２１３号公報
【発明の開示】
【発明が解決しようとする課題】
【０００６】
しかしながら、１ブロックの大きさを小さくした場合には、無駄なデータを読み出さないようにできるものの、読み出しだけでなく書き込みのためのシーク回数が増加し、そのシーク回数の増加による再生効率の低下が問題となってくる。
【０００７】
そこで、本発明は、このような課題に鑑みてなされたものであり、早送り再生においても、無駄なデータを読み出すことなく、シーク回数の増加を最小限に抑えることが可能な記録再生装置を提供することを目的とする。
【課題を解決するための手段】
【０００８】
本発明の記録再生装置は、ランダムアクセス可能な記録媒体を有し、ストリームを記録媒体に記録して再生する記録再生装置において、前記記録媒体に対して第１のブロック単位で前記ストリームを書き込むとともに、第２のブロック単位で前記ストリームを読み出すべく制御する制御手段を備え、該制御手段は、通常再生モードが設定された場合には、前記第２のブロック単位の大きさを前記第１のブロック単位の大きさと同一に制御すると共に、早送り再生モードが設定された場合には、前記第２のブロック単位の大きさを１ピクチャ単位とし、前記記録媒体から１ピクチャ単位でストリームを読み出すべく制御することを特徴とする。
【０００９】
このような構成とすることにより、早送り再生モードにおいて、必要なピクチャのみを選択的に読み出すことが可能となり、不必要なデータの読み出しが無くなり読み出し効率が向上する。
【００１０】
また、前記ストリームに含まれるピクチャのデータ量を検出するデータ量検出手段を更に備え、前記制御手段は、早送り再生モードが設定された場合には、前記データ検出手段で検出されたピクチャのデータ量に基づいて、前記記録媒体から１ピクチャ単位でストリームを読み出すべく制御することを特徴とする。
【００１１】
また、本発明の記録再生装置は、ランダムアクセス可能な記録媒体を有し、ストリームを記録媒体に記録して再生する記録再生装置において、前記ストリームに含まれるピクチャのデータ量を検出するデータ量検出手段と、前記記録媒体に対して第１のブロック単位で前記ストリームを書き込むとともに、前記データ量検出手段にて検出されたピクチャ毎のデータ量に基づいて、前記記録媒体から１ピクチャ単位でストリームを読み出すべく制御する制御手段とを備え、前記第１のブロックに含まれるデータ量は、ピクチャ毎のデータ量の平均値より大きくなることを特徴とする。
【発明の効果】
【００１２】
本発明によれば、記録媒体に第１のブロック単位でストリームを書き込み、第２のブロック単位で読み出し、早送り再生モードにおいて第２のブロック単位を１ピクチャ単位とするため、第１のブロックを大きくすることにより記録媒体に対するシーク回数を低減することが可能となるだけでなく、早送り再生モードにおいて、必要なピクチャのみを選択的に読み出すことが可能となる。これにより、シーク回数が低減し、且つ、早送り再生などにおける不必要なデータの読み出しがなくなり、記録媒体に対する書き込み・読み出し効率が向上するため、記録再生装置の処理能力を向上させることが可能となる。
【発明を実施するための最良の形態】
【００１３】
本発明の一実施の形態におけるデジタルテレビ放送記録再生装置の構成について、図面を用いて以下に説明する。
【００１４】
本実施の形態において、図１はデジタルＴＶ放送記録再生装置の概略構成を示すブロック図、図２は図１のデジタルＴＶ放送記録再生装置におけるハードディスクドライブ装置の書込・読出動作を説明するフローチャート、図３は図１のデジタルＴＶ放送記録再生装置におけるピクチャアドレス管理テーブルに格納されたデータの内容を説明する説明図である。
【００１５】
本実施の形態におけるデジタルＴＶ放送記録再生装置１は、図１に示すように、デジタル放送信号を受信するアンテナ１と、アンテナ２にて受信した放送信号を復調するとともにこの復調信号を多重分離して、視聴者が選択したチャンネルのＴＳ(Transport Stream)やＥＰＧ(Electronic Program Guide)を獲得するチューナ２と、チューナ２で得たＴＳを記録するＩＤＥ規格に準じたＨＤＤ（ハードディスクドライブ装置）７と、ＨＤＤ７より読み出したＴＳを復号する復号部９と、この復号部９で復号された復号信号によって映像を表示する表示装置１０とを備えている。
【００１６】
また、このデジタルＴＶ放送記録再生装置は、チューナ２で得たＴＳに基づいて構成されるピクチャ毎のデータ量を検出するピクチャ長検出部３と、ピクチャ長検出部３にて得られたピクチャ長に基づいて各ピクチャのＨＤＤ７における先頭セクタ番号を格納するピクチャアドレス管理テーブル８とを備えている。
【００１７】
ＴＳのヘッダにはピクチャの先頭を識別するための情報が含まれており、ピクチャ長検出部３は、この識別情報を参照することにより、連続して入力されるＴＳから各ピクチャＰｎのデータ量Ｄｎを求め、得られたピクチャＰｎのデータ量ＤｎはＨＤＤ７におけるセクタ数Ｓｎに換算される。ここでは、ＨＤＤ７としてＩＤＥ規格に準じたものを用いているため、１セクタ＝５１２バイトとなり、データ量ＤｎのピクチャＰｎをＨＤＤ７に格納するために必要なセクタ数Ｓｎは、Ｓｎ＞Ｄｎ／５１２を満たす最小の整数として求められる。
【００１８】
そして、ピクチャ長検出部３にて得られたピクチャＰｎのセクタ数Ｓｎに基づいて、以下の数式１によりピクチャＰｎ＋１の先頭セクタ番号Ｚｎ＋１が求められ、図３に示すようなピクチャアドレス管理テーブル８に格納される。
【００１９】
【数１】
2007089213.tif 000003
【００２０】
更に、このデジタルＴＶ放送記録再生装置は、チューナ２で得たＴＳを一時的に格納する入力バッファ４と、ＨＤＤ７から読み出されたＴＳを一時的に格納する出力バッファ５とを備えている。
【００２１】
なお、上述したデジタルＴＶ放送記録再生装置における各部は、ＣＰＵ６により制御されている。
【００２２】
入力バッファ４は、チューナ２で得たＴＳを順次格納するとともに、格納したＴＳを予め定められたＮバイトのブロック単位でＨＤＤ７へ転送するものであり、これによりＨＤＤ７に対するＴＳの書込処理が行われる。なお、このＮバイトのブロックは、１ピクチャを構成するバイト数の平均値よりも十分に大きな値が用いられる。
【００２３】
出力バッファ５は、ピクチャアドレス管理テーブル８に格納されたＨＤＤ７上における各ピクチャの先頭セクタ番号を参照することにより、ＨＤＤ７からピクチャ単位で読み出されたＴＳを格納するともに、格納したＴＳを順次復号部９に供給するものである。
【００２４】
このような構成の記録再生装置において、受信した番組を記録しながらＨＤＤ７に記録した番組を再生する際のＨＤＤ７に対するＴＳの書込・読出動作を、以下に説明する。
【００２５】
図３に示すように、視聴者者がリモコン（図示省略）などを用いて、受信した番組を記録しながらＨＤＤ７に記録した番組の再生を行うように指示すると、まず、入力バッファ４にＨＤＤ７へ転送すべきブロックがあるか、すなわち受信した番組のＴＳがＮバイト以上格納されているか判断が行われる（ステップＳ０１）。
【００２６】
入力バッファ４にＮバイト以上のＴＳが格納されている場合には、直ちに入力バッファ４からＨＤＤ７に対してＮバイト分のデータが転送され、書込処理が行われる（ステップＳ０２）。
【００２７】
ＨＤＤ７に対してＮバイト分のデータの書込処理が終了すると、出力バッファ５に復号部９に転送すべきＴＳが格納されているか判断が行われる（ステップＳ０３）。
【００２８】
ここで、出力バッファ５に復号部９に転送すべきＴＳがある場合には、まだ、ＨＤＤ７からデータを読み出す必要がないと判断して、ステップＳ０１に戻り入力バッファ５のＨＤＤ７に対する書込ルーチンが行われ、また、出力バッファ５に復号部９に転送すべきＴＳがない、すなわち、再生するために必要な期間内にＨＤＤ７から再生に必要なＴＳが読み出されていない場合には、少なくともそのＴＳを含むピクチャの再生ができないと判断して、補完処理が行われる。
【００２９】
この補完処理は、再生できなかったピクチャがＩピクチャまたはＰピクチャであった場合、そのピクチャの読出が中止されるとともに、ピクチャアドレス管理テーブル８を参照して次のピクチャの読出が開始される。この間、次にＩピクチャがＨＤＤ７から読み出されるまで、直前に再生されたピクチャで再生画像が補完される。また、再生できなかったピクチャがＢピクチャであった場合、そのピクチャの読出が中止されるとともに、ピクチャアドレス管理テーブル８を参照して次のピクチャの読出が開始される。この間、ピクチャの種類によらず次のピクチャがＨＤＤ７から読み出されるまで、直前に再生されたピクチャで再生画像が補完される。これにより、ＨＤＤ７からの読出処理が、表示装置１０に表示するための再生処理に追いつかない場合であっても、表示画面は乱れることはなく、ごくわずかのスチル再生が行われるだけであるため、表示画像の画質低下を最小限に抑えることができる（ステップＳ０４）。
【００３０】
一方、ステップＳ０１において入力バッファ４にＮバイト以上のＴＳが格納されていない場合には、ピクチャアドレス管理テーブル８を参照して、次にＨＤＤ７から読み出すべきピクチャのデータ量を算出する。この演算は、読み出すべきピクチャに続く次のピクチャの先頭セクタ番号から、読み出すべきピクチャの先頭セクタ番号を除算したものに、１セクタのデータ量５１２バイトを乗算することにより容易に得られる（ステップＳ０５）。
【００３１】
次に、出力バッファ５にＨＤＤ７から読み出すべきピクチャを格納するに十分な空き容量があるか判断が行われる（ステップＳ０６）。
【００３２】
ここで、出力バッファ５にＨＤＤ７から読み出すべきピクチャを格納する空き容量がない場合には、ステップＳ０１に戻り入力バッファ５のＨＤＤ７に対する書込ルーチンが行われ、また、出力バッファ５にＨＤＤ７から読み出すべきピクチャを格納する空き容量がある場合には、直ちにＨＤＤ７から１ピクチャ分のＴＳが読み出され、出力バッファ５に格納される（ステップＳ０７）。
【００３３】
そして、ピクチャアドレス管理テーブル８のポインタを読み出されたピクチャの次のピクチャに更新して、ステップＳ０１に戻り入力バッファ５のＨＤＤ７に対する書込ルーチンが行われる（ステップＳ０８）。
【００３４】
このように、本実施の形態においては、ＨＤＤ７に対して予め定められた大きさのブロック単位で書き込み、ピクチャ単位で読み出すとともに、各ピクチャのＨＤＤ７上におけるセクタ番号を格納するピクチャアドレス管理テーブルを設けているため、書込処理の際のブロックを大きくすることによりＨＤＤ７のシーク回数を低減することが可能となるだけでなく、早送り再生などにおいて必要なピクチャのみを選択的に読み出すことが可能となる。これにより、シーク回数が低減し、且つ、早送り再生などにおける不必要なデータの読み出しがなくなり、ＨＤＤ７に対する書込・読出効率が向上するため、デジタルＴＶ放送記録再生装置の処理能力を向上させることが可能となる。な
【００３５】
また、本実施の形態においては、入力バッファ４からＨＤＤ７に対する書込処理が可能なときは、直ちに書込処理を行い、その書込処理が可能でないときに、ＨＤＤ７からの読出処理を行うように制御しているため、ＨＤＤ７に対する書込処理が、ＨＤＤ７からの読出処理に優先して行われる。これにより、ＨＤＤ７に対する書込処理が確実行えるようになり、記録処理における信頼性を向上させることが可能となる。
【００３６】
また、本実施の形態においては、出力バッファ５に復号部９に転送すべきＴＳがない、すなわち、再生するために必要な期間内にＨＤＤ７から再生に必要なだけのＴＳが読み出されていない場合には、読み出されていないピクチャの代わりに、直前のピクチャを用いて補完しているため、表示装置１０の表示画面が乱れることはなく、ごくわずかの期間スチル再生が行われるだけである。これにより、表示画像の画質低下を最小限に抑えることが可能となる。
【００３７】
また、ＨＤＤ７からＴＳの読出処理が間に合わなかったピクチャのピクチャ種別に応じて、補完処理に伴うスチル再生の制御を切り替えているため、そのピクチャ種別毎に最適のスチル再生期間が設定されることになる。
【００３８】
なお、本実施の形態においては、デジタルＴＶ放送に送信される番組がＭＰＥＧ規格に準じて符号化されている場合について説明したが、それ以外の圧縮符号化方式に対応可能である。
【００３９】
また、本実施の形態においては、ＨＤＤ７に対する書込処理を読出処理より優先するために、ＨＤＤ７に対して入力バッファ４からブロック単位（Ｎバイト）でＴＳの転送ができない期間に、ＨＤＤ７から出力バッファ５へＴＳを読み出すべく制御する場合について説明したが、それに限定されることはない。例えば、入力バッファ４の空き容量に対して予め閾値を設定しておき、入力バッファ４の空き容量がその閾値をこえたときに、ＨＤＤ７から出力バッファ５への読出処理を行うように制御してもよい。この場合、閾値として、ＨＤＤ７から出力バッファ５への読出処理に要する期間にチューナ２から入力バッファ４に書き込まれるデータ量より十分大きな値を設定しておけばよい。
【００４０】
また、本実施の形態においては、放送信号に含まれる映像情報をＨＤＤ７に記録して再生する場合について説明したが、これに限定されることなく音声情報やデータ放送情報などをＨＤＤ７に記録して再生してもよい。
【００４１】
例えば、データ放送情報をＨＤＤ７に保存する場合、まずチューナ２から出力されるＴＳからデータ放送情報を分離して格納するためのデータ放送用メモリを設け、予めこのデータ放送用メモリにデータ放送情報を記録しておく。
【００４２】
そして、このデータ放送用メモリに格納されたデータ放送情報を、予めＨＤＤ７の最内周に確保しておいた領域に書き込み、また、そこから読み出して再生が行われる。
【００４３】
ここで、このデータ放送用メモリに記録されたデータ放送情報は、入力バッファ４が十分空いており、かつ、出力バッファ５の復号部９に転送すべきTSが十分な量に達していると判断された時、このデータ放送用メモリからＨＤＤ７へ記録される。この場合、閾値として、このデータ放送用メモリからＨＤＤ７へ書き込まれる期間に入力バッファ４に書き込まれるデータ量及び出力バッファ５から復号部９に転送されるデータ量に比べ十分大きくなるような値を設定しておけばよい。このデータ放送用メモリからＨＤＤ７へ転送が終了するとデータ放送情報の分離処理を再び開始し、これを繰り返す。このように、録画処理もしくは再生処理もしくは同時録画再生処理中でも映像情報ストリームを止めることなくデータ放送を分離しＨＤＤ７に記録することができる。
【００４４】
また、上記のタイミングでデータ放送情報をデータ放送用メモリからＨＤＤ７に転送する場合、データ放送情報を転送するのに時間的に十分余裕があるので、ＨＤＤ７の転送に最も時間のかかる内周部分に書き込むとよい。データ放送情報を内周部分に集めることにより、リアルタイム性を要求される映像情報ストリームを外周に集めることが可能となりデジタルＴＶ記録再生装置の処理能力を向上させることが可能となる。
【００４５】
また、既にＨＤＤ７に記録したデータ放送情報を利用するためにＨＤＤ７から読み出す場合、ＨＤＤに記録されたデータ放送情報は、入力バッファ４が十分空いており、かつ、出力バッファ５の復号部９に転送すべきTSが十分な量に達していると判断された時、ＨＤＤ７からデータ放送用メモリへ読み出される。この場合、閾値として、ＨＤＤ７からデータ放送用メモリへ読み出される期間に入力バッファ４に書き込まれるデータ量及び出力バッファ５から復号部９に転送されるデータ量に比べ十分大きくなるような値を設定しておけばよい。このデータ放送用メモリは、データ放送情報を利用するために割り当てられた領域である。このように、録画処理もしくは再生処理もしくは同時録画再生処理中でも映像ストリームを止めることなくデータ放送情報をＨＤＤ７から読み出すことができる。
【００４６】
次に、他の実施形態例について説明する。図４は他の実施形態例のデジタルＴＶ放送記録再生装置の概略構成を示すブロック図、図５は図４のデジタルＴＶ放送記録再生装置におけるハードディスクドライブ装置の書込・読出動作を説明するフローチャートである。
【００４７】
図４において、図１と同一構成部分については同一符号を付しており、その説明は省略する。ここで、上記実施形態例と相違している点は、視聴者がリモコンなどを用いて、受信した番組を記録しながらＨＤＤ７に記録した番組の再生を行うように指示するとき、再生するモードが通常再生モードか早送り再生モードかを設定する指示手段１１を有している点である。ここで、早送り再生モードとは３倍速以上の再生の場合であり、通常再生モードとは１倍速および２倍速の再生の場合である。
【００４８】
そして、ＣＰＵ６では、指示手段１１により通常再生モードが設定された場合には、Ｎバイトのブロック単位でＨＤＤ７から読み出し、読み出されたＴＳを出力バッファ５に格納するように制御している。また、指示手段１１により早送り再生モードが設定された場合には、上記第１実施形態例に記載の如く、ピクチャ単位でＨＤＤ７から読み出し、読み出されたＴＳを出力バッファ５に格納するように制御している。
【００４９】
次に、このような構成の記録再生装置における、ＨＤＤ７に対するＴＳの書込・読出動作を、図５のフローチャートを参照して説明する。
【００５０】
ここで、上記第１実施形態例で説明した図２のフローチャートにおいて、ステップＳ０１〜Ｓ０４については、図５のステップＳ１１〜Ｓ１４と同一であるため説明を省略する。
【００５１】
図３のフローチャートと相違しているのは、ステップＳ１１において、入力バッファ４にＨＤＤ７へ転送すべきブロックがあるか、すなわち受信した番組のＴＳがＮバイト以上格納されているか判断が行われ、入力バッファ４にＮバイト以上のＴＳが格納されていない場合には、ステップＳ１５に進み、指示手段１１により設定されているモードが通常再生モードか否か判断される。
【００５２】
通常再生モードであると判断された場合には、直ちにＨＤＤ７からＮバイト分のＴＳが読み出され、出力バッファ５に格納される（ステップＳ１６）。
【００５３】
一方、ステップＳ１５において、早送り再生モードであると判断された場合には、図３のステップＳ５と同様に、ピクチャアドレス管理テーブル８を参照して、次にＨＤＤ７から読み出すべきピクチャのデータ量を算出する（ステップＳ１７）。
【００５４】
そして、次にステップＳ１８に進み、出力バッファ５にＨＤＤ７から読み出すべきピクチャを格納するに十分な空き容量があるか判断が行われ、出力バッファ５にＨＤＤ７から読み出すべきピクチャを格納する空き容量がない場合には、ステップＳ１１に戻り、一方、出力バッファ５にＨＤＤ７から読み出すべきピクチャを格納する空き容量がある場合には、直ちにＨＤＤ７から１ピクチャ分のＴＳが読み出され、出力バッファ５に格納される（ステップＳ１９）。
【００５５】
そして、ピクチャアドレス管理テーブル８のポインタを読み出されたピクチャの次のピクチャに更新して、ステップＳ２０に戻り入力バッファ５のＨＤＤ７に対する書込ルーチンが行われる（ステップＳ０８）。
【００５６】
このように、第２の実施の形態においては、ＨＤＤ７に対して予め定められた大きさのブロック単位で書き込み、通常再生モードでは、書き込みと同じブロック単位で読み出し、一方、早送り再生モードでは、ピクチャ単位で読み出すとともに、各ピクチャのＨＤＤ７上におけるセクタ番号を格納するピクチャアドレス管理テーブルを設けているため、書込処理の際のブロックを大きくすることによりＨＤＤ７のシーク回数を低減することが可能となるだけでなく、再生に殆どのデータの読出処理が必要な通常再生時には読み出し回数が増加することなく、一方、早送り再生時には必要なピクチャのみを選択的に読み出すことが可能となる。これにより、シーク回数が低減し、且つ、早送り再生における不必要なデータの読み出しがなくなり、ＨＤＤ７に対する書込・読出効率が向上するため、デジタルＴＶ放送記録再生装置の処理能力を向上させることが可能となる。
【図面の簡単な説明】
【００５７】
【図１】本発明の一実施の形態におけるデジタルＴＶ放送記録再生装置の概略構成を示すブロック図である。
【図２】図１のデジタルＴＶ放送記録再生装置におけるハードディスクドライブ装置の書込・読出動作を説明するフローチャートである。
【図３】図１のデジタルＴＶ放送記録再生装置におけるピクチャアドレス管理テーブルに格納されたデータの内容を説明する説明図である。
【図４】本発明の他実施の形態におけるデジタルＴＶ放送記録再生装置の概略構成を示すブロック図である。
【図５】図４のデジタルＴＶ放送記録再生装置におけるハードディスクドライブ装置の書込・読出動作を説明するフローチャートである。
【符号の説明】
【００５８】
１    アンテナ
２    チューナ
３    ピクチャ長検出部
４    入力バッファ
５    出力バッファ
６    ＣＰＵ
７    ハードディスクドライブ装置（ＨＤＤ）
８    ピクチャアドレス管理テーブル
９    復号部
１０    表示装置
１１    指示手段
【図１】
2007089213.tif 000004
【図２】
2007089213.tif 000005
【図３】
2007089213.tif 000006
【図４】
2007089213.tif 000007
【図５】
2007089213.tif 000008